(57)【要約】【課題】ラミネートフィルムの移動方向に関して横断方向へジッパーが配置される製袋機及び製袋充填シール（ＦＦＳ）機においても嵌合具フランジ部の捲れや、嵌合具の外れ等がなく効率よく包装袋を製造できる嵌合具を提供すること。【解決手段】少なくとも、テープ部が基部とシール部との二層以上の多層構造からなる４枚のフランジを有しており、雄爪テープ幅と雌爪テープ幅は実質的に同じテープ幅であり、それぞれ包装体内容物側に位置されるフランジが包袋体開封側に位置される他方のフランジよりも短いことを特徴とする嵌合具。【選択図】      図１２
2005008231.tif 000002
【特許請求の範囲】
【請求項１】
ラミネートフィルムの移動方向に関して横断方向へジッパーが配置される製袋機及び製袋充填シール（ＦＦＳ）機により製造される包装体用嵌合具において、少なくとも、テープ部が基部とシール部との二層以上の多層構造からなる４枚のフランジを有しており、雄爪テープ幅と雌爪テープ幅は実質的に同じテープ幅であり、それぞれ包装体内容物側に位置されるフランジが包袋体開封側に位置される他方のフランジよりも短いことを特徴とする嵌合具。
【請求項２】
前記包装体内容物側に位置されるテープフランジの長さが嵌合具の全テープ幅に対し５０％未満であり、且つ１０ｍｍ未満である請求項１に記載の嵌合具。
【請求項３】
ラミネートフィルムの移動方向に関して横断方向へジッパーが配置される製袋機及び製袋充填シール（ＦＦＳ）機により製造される包装体用嵌合具において、少なくとも、テープ部が基部とシール部との二層以上の多層構造からなり、包装体内容物側に位置されるフランジが実質的になく、２枚のフランジからなり、雄爪テープ幅と雌爪テープ幅が同じテープ幅であることを特徴とする嵌合具。
【請求項４】
テープフランジ部が基部とシール部との二層以上の多層構造を有しており、基部が密度９００ｋｇ／ｍ３〜９４０ｋｇ／ｍ３、メルトフローレート０．５ｇ／１０分〜１５ｇ／１０分のポリエチレン系重合体（Ａ）を主成分とした樹脂組成物よりなり、シール部が密度８５０ｋｇ／ｍ３〜９２０ｋｇ／ｍ３、メルトフローレート０．５ｇ／１０分〜１５ｇ／１０分のエチレン・αオレフィン共重合体（Ｂ）を含有する樹脂組成物からなり、樹脂（Ａ）及び（Ｂ）の密度が（Ａ）≧（Ｂ）の条件を満たすことを特徴とする請求項１〜３のいずれか１項に記載の嵌合具。
【請求項５】
テープ部と爪部とを有する互いに嵌合可能な一対の帯状嵌合具において、テープ部基部層（内側）にその全長にそって伸長している凸状隆起部をテープ幅１ｃｍ当り１０本以上有することを特徴とする請求項１〜３のいずれか１項に記載の嵌合具。
【発明の詳細な説明】
【０００１】
【発明の属する技術分野】
本発明は、防湿、防酸素等が要求されかつ開封後に再密封が必要な食品、薬品、雑貨等の分野の包装に利用される嵌合具及び嵌合具付包装用袋体に関し、特に、ラミネートフィルムの移動方向に関して横断方向へジッパーが配置される製袋機及び製袋充填シール（ＦＦＳ）機により製造される包装体用の嵌合具及び嵌合具付包装用袋体に関する。
【０００２】
【従来の技術】
袋の開封部に雄、雌よりなる一対の帯状嵌合具を設けることにより、開閉自在とした嵌合具付包装用袋体（チャック袋）が、食品、薬品、雑貨等多くの分野で使用されている。この嵌合具付包装用袋体の製造方法としては、種々の方法が提案されている。例えば、環状ダイを用いて雄型と雌型の一対の嵌合具を備えた筒状フィルムを一体に押出成形して製造する方法、フィルム上に嵌合具部を押出溶着する方法、予め嵌合具付のテープを製造し、このテープを袋体本体を形成する基材フィルムに熱溶着又は接着剤で固着する方法がある。
【０００３】
しかし、前二者の方法では、使用可能な樹脂の種類に限界があること、多層フィルム基材への適用が困難なこと、多様なサイズに対応できないこと、印刷が困難なこと等のハンドリングのしにくさやコスト面の課題があり、予め嵌合具付のテープを製造し、袋体本体を形成する基材フィルムに熱溶着する方法が一般に採用されている。
【０００４】
従来の基材フィルムに嵌合具を熱溶着し嵌合具付袋体を製造する方法は、基材フィルムを半折し、その基材フィルムの間にフィルムの流れ方向と同じ方向から嵌合具を挿入し、セパレータ（ガイドプレートとも言う）を介して、雌雄ジッパーのテープ部内側が熱融着しないよう上下のシールバーにてフィルムに嵌合具をシールし、袋体の幅寸法に合わせたサイドシールを行い、トップ（又はボトム）シール後、袋寸法にカットされ製造される。
【０００５】
近年、嵌合具付袋体においてはその形態が多種多様化し、様々な形状のものが普及しているが特にそのディスプレイ効果等から、スタンディングパウチやガゼット付きピロー包装体が特に市場に受け入れられている。
嵌合具付の横ガゼット付包装体等を製造する方法としては、製袋機においてはガゼット部のパーツを別に挿入する等が提案されているが、この方法では工程が複雑となり、また製造コストがアップするなどの問題があった。また、縦ピロー型の充填包装機では機械の構造、嵌合具付袋体とするには実質的に不可能であった。
【０００６】
これらの問題を解決し、効率よく嵌合具付の横ガゼット付包装体を製造する方法として、ラミネートフィルムの移動方向に関して横断方向へジッパーが配置される製袋機及び製袋充填シール（ＦＦＳ）機が知られている（例えば、特許文献１参照。）。本方法は袋体の幅にカットされた嵌合具がラミネートフィルムの移動方向に関して横断方向、すなわちフィルムの流れに対し直角に挿入される。挿入された嵌合具はラミネートフィルムにその片面を熱融着され固定される。フィルムがガゼット付の袋状（または筒状）に折りこまれた後、嵌合具フランジ部、袋体のボトムがシールされ、カットされ連続的に製造される（充填・包装機に関しては内容物充填工程を含む。）。
本方法においては嵌合具をラミネートフィルムに熱融着する際、嵌合具内側の熱融着を防止するセパレータは使用されない。
【０００７】
【特許文献１】
特開昭６２−２７３８３９号公報
【０００８】
このようなラミネートフィルムの移動方向に関して横断方向へジッパーが配置される製袋機及び製袋充填シール（ＦＦＳ）機に使用される嵌合具としては、熱融着を防止するセパレータを使用しない等の特殊性から、少なくとも基材フィルムと嵌合具間の低温シール性とフランジ部内側の融着防止という耐熱性の両立が求められ、一般的にフランジ部がシール部と非融着部との多層構造である必要がある。特にフランジ部を多層化しシール部と非融着部の融点差を大きくとれば低温シール性と非融着性の温度範囲が拡がり好ましいが、このフランジ部のシール部と非融着部の温度差を大きくするにしたがい、多層構造故のフランジ部の「そり（カール）」が大きくなり、製袋機でフィルムを折り込む際に使用される補助プレートや、充填包装機でフィルムを筒状に折り込む際に使用されるセーラー等の折り返し部で嵌合具のフランジが捲れたり、最悪の場合は製袋途中で嵌合具が外れてしまう等の問題が発生するものであった。
【０００９】
【発明が解決しようとする課題】
本発明の課題は、効率よく嵌合具付の横ガゼット付包装体を製造するための、ラミネートフィルムの移動方向に関して横断方向へジッパーが配置される製袋機及び製袋充填シール（ＦＦＳ）機においても嵌合具フランジ部の捲れや、嵌合具の外れ等がなく製袋できる嵌合具を提供することである。
【００１０】
【課題を解決するための手段】
本発明者は、前記目的を達成するために鋭意検討した結果、嵌合具フランジ部の層構成、及び開口側／内容物側のフランジ長さを工夫した嵌合具を得ることで、前記課題を解決できることを見出し本発明を完成するに至った。すなわち、本発明は特定のポリエチレン系樹脂組成物よりなる嵌合具及びこの嵌合具を袋体本体に溶着してなる嵌合具付包装用袋体に関するものである。
【００１１】
本発明の嵌合具は、ラミネートフィルムの移動方向に関して横断方向へジッパーが配置される製袋機及び製袋充填シール（ＦＦＳ）機により製造される包装体用嵌合具において、少なくとも、テープ部が基部とシール部との二層以上の多層構造からなる４枚（又は２枚）のフランジを有しており、雄爪テープ幅と雌爪テープ幅は実質的に同じテープ幅であり、それぞれ包装体内容物側に位置されるフランジが袋体開封側に位置される他方のフランジよりも短い（又包装体内容物側に位置されるフランジがない）ことを特徴とする嵌合具である。
【００１２】
【発明の実施の態様】
以下、本発明を詳細に説明する。
本発明の嵌合具は、雄爪部、雌爪部を有する互いに嵌合可能な一対の嵌合具よりなり、それぞれのテープ部が基部とシール部との二層以上の多層構造からなる４枚のフランジを有している。雄爪を有する嵌合具のテープ幅と雌爪を有する嵌合具のテープ幅は実質的に同じテープ幅であり、それぞれ包装体内容物側に位置されるフランジが袋体開封側に位置される他方のフランジよりも短く、嵌合具の全テープ幅に対し５０％未満であり、且つ１０ｍｍ未満である。また、嵌合具がテープ内容物側の端部に位置し、実質的に２枚のフランジからなる嵌合具としても良い。嵌合具のフランジ長さを上記のように規定したのは、嵌合具の全テープ幅が細い物、例えば１０ｍｍ前後の嵌合具ではほとんど影響を受けないが、例えば１５ｍｍ以上、特にテープ全幅が２０ｍｍを超える物においては、袋体開口側フランジと内容物側フランジの長さが実質的に同じ場合、基材フィルムを袋体状に折り込みシールする際に使用される折込補助プレートや、充填包装機でのセーラーに嵌合具のフランジが引っかかり、捲れたり、嵌合具が外れたりする製袋不良が発生するからである。
【００１３】
また、包装体内容物側に位置されるフランジが袋体開封側に位置される他方のフランジよりも短く、嵌合具の全テープ幅に対し５０％未満であっても、包装体内容物側に位置されるフランジ長さが１０ｍｍを超えるサイズの嵌合具ではフランジが引っかかり、捲れたり、嵌合具が外れたりする製袋不良が発生するためフランジ長さが１０ｍｍ未満〜０ｍｍの物が好ましい。
【００１４】
次に嵌合具フランジ部の構成について説明する。本発明の嵌合具はテープ部が基部とシール部との二層以上の多層構造であり、基部が密度９００ｋｇ／ｍ３〜９４０ｋｇ／ｍ３、メルトフローレート０．５ｇ／１０分〜１５ｇ／１０分のポリエチレン系重合体（Ａ）を主成分とした樹脂組成物よりなり、シール部が密度８５０ｋｇ／ｍ３〜９２０ｋｇ／ｍ３、メルトフローレート０．５ｇ／１０分〜１５ｇ／１０分のエチレン・αオレフィン共重合体（Ｂ）を含有する樹脂組成物からなり、樹脂（Ａ）及び（Ｂ）の密度が（Ａ）≧（Ｂ）の条件を満たす組成物よりなる。
【００１５】
本発明のテープ部の基部に使用するポリエチレン系重合体（Ａ）の密度は９００ｋｇ／ｍ３〜９４０ｋｇ／ｍ３であれば特に制限はなく、エチレン単独重合体でもエチレンと他のα−オレフィンとの共重合体であってもよい。ポリエチレン系重合体の密度を上記のように規定したのは、密度が９００ｋｇ／ｍ３未満では耐熱性が不十分となり、セパレータにテープが融着したり、嵌合具が柔らかすぎてハンドリング性に劣ったりするからであり、また、密度が９４０ｋｇ／ｍ３超では嵌合具の剛性が強くなりすぎて袋体端部テープ接着部の熱融着性が悪くなったり、嵌合具の開閉時嵌合具の破壊等が発生しやすくなったりするからである。また、このポリエチレン系重合体（Ａ）のメルトフローレートは０．５ｇ／１０分〜１５ｇ／１０分の範囲のものが用いられる。メルトフローレートを上記のように規定したのは、メルトフローレートが０．５ｇ／１０分未満では押出成形性に劣り、１５ｇ／１０分超では嵌合具の型保持性が劣るからである。
【００１６】
次に、テープ部のシール部に使用するエチレン・αオレフィン共重合体（Ｂ）について説明する。本発明で使用するエチレン・αオレフィン共重合体（Ｂ）は、密度８５０ｋｇ／ｍ３〜９２０ｋｇ／ｍ３、メルトフローレート０．５ｇ／１０分〜１５ｇ／１０分のエチレン・αオレフィン共重合体であり、特にメタロセン系触媒によって製造されたものが好ましい。また、テープ部のシール部に使用される樹脂組成物中、樹脂（Ｂ）の含有量は１００重量％〜２０重量％が好ましい。エチレン・αオレフィン共重合体の密度を上記のように規定したのは、密度が８５０ｋｇ／ｍ３未満では、嵌合具が柔らかすぎてハンドリング性に劣るからであり、また、密度が９２０ｋｇ／ｍ３超では、嵌合具の熱融着性の改良効果が悪くなるからである。また、メルトフローレートを上記のように規定したのは、メルトフローレートが０．５ｇ／１０分未満では押出成形性に劣り、１５ｇ／１０分超では嵌合具の型保持性が劣るからである。
【００１７】
本発明で使用するポリエチレン系重合体（Ａ）及びエチレン・αオレフィン共重合体（Ｂ）の密度は、（Ａ）≧（Ｂ）の条件を満たす範囲のものが使用される。この範囲を超えると嵌合具の低温シール性や耐熱性、剛性等の改良効果が不十分となる。
【００１８】
また、本発明において基部のポリエチレン系重合体の種類は特に制限されず、エチレン単独重合体、エチレン・αオレフィン共重合体、エチレン・酢酸ビニル共重合体、エチレン・アクリル酸系化合物共重合体又はエチレン・アクリル酸系化合物共重合体の金属塩等が使用できる。
【００１９】
また、必要に応じて他の公知の添加剤、例えば安定剤、酸化防止剤、滑剤、帯電防止剤、着色剤等を本発明の趣旨を阻害しない範囲内で併用することができる。
【００２０】
本発明の帯状嵌合具は、テープ部基部層（内側）にその全長にそって伸長している凸状隆起部を有することを特徴とする。この凸状隆起部は帯状嵌合具テープ部にテープ幅１ｃｍ当り１０本以上の密度で設ける。
【００２１】
また、本発明において嵌合具のテープ部は少なくとも二層以上の多層構造を有していれば良く、必要に応じ他の結晶性ポリオレフィン層を一層、又は複数層設けてもよい。また、爪部の形状、爪部の本数は特に制限されず、再開閉機能を有するものであれば任意の形状、複数本とすることができる。
【００２２】
【実施例】
以下、実施例及び比較例を示し、本発明の内容をより具体的に説明するが、本発明は以下の実施例に記載された事項によってのみ限定されるものではない。
【００２３】
実施例１
嵌合具のテープ部の基部及び爪部の材料（Ａ）として、密度９２２ｋｇ／ｍ３、メルトフローレート２．４ｇ／１０分、融解ピーク温度１２２℃のエチレン・αオレフィン共重合体樹脂（三井住友ポリオレフィン社製  ウルトゼックス２５２０Ｆ）を６０重量％、密度９２１ｋｇ／ｍ３、メルトフローレート５．０ｇ／１０分の低密度ポリエチレン樹脂（三井住友ポリオレフィン社製  スミカセン  Ｆ４１２−１）４０重量％からなる樹脂組成物を用意した。また、シール部の材料（Ｂ）として、密度８８０ｋｇ／ｍ３、メルトフローレート８．０ｇ／１０分のエチレン・αオレフィン共重合体樹脂（住友化学工業社製  エクセレンＦＸ  ＣＸ４００２）を用意した。
【００２４】
この樹脂組成物を、基部材料は口径が４０ｍｍ、Ｌ／Ｄが２５の押出機を用いて、また、シール部材料は口径が３０ｍｍ、Ｌ／Ｄが２５の押出機を用いてそれぞれ１８０℃にて溶融混練し、嵌合具の雄部、雌部を有する複合異形ダイに導き、共押出し成形後、冷却水槽に導き冷却固化させた後、巻取機にて巻取り、爪部幅２ｍｍ、袋体開封側フランジ１２ｍｍ、内容物側フランジ６ｍｍ、テープ全幅が２０ｍｍであり、袋体開封側フランジに１２本、内容物側フランジに６本の凸状隆起部を設けた嵌合具を得た。本嵌合具の評価結果を表１に示す。
【００２５】
実施例２
爪部幅２ｍｍ、袋体開封側フランジ１３ｍｍ、テープ全幅１５ｍｍとし、１３本の凸状隆起部をフランジに設けた以外は実施例１と同様にして嵌合具を得た。本嵌合具の評価結果を表１に示す。
【００２６】
比較例１
爪部幅２ｍｍ、袋体開封側、及び内容物側フランジを１１ｍｍ、テープ全幅が２４ｍｍとし、各フランジに１１本の凸状隆起部を設けた以外は実施例１と同様にして嵌合具を得た。本嵌合具の評価結果を表１に示す。
【００２７】
比較例２
嵌合具の材料として、密度９２１ｋｇ／ｍ３、メルトフローレート５．０ｇ／１０分の低密度ポリエチレン樹脂（三井住友ポリオレフィン社製  Ｆ４１２−１）単体とし、凸状隆起部を設けなかった以外は実施例１と同様にして嵌合具を得た。本嵌合具の評価結果を表１に示す。
【００２８】
フィルム移動方向に関して横断方向へジッパーが配置される製袋機、西部機械（株）社製「ＨＳＰ−５００−ＳＴＧ」を用いて、ＰＥＴ／ＡＬ／ＬＬＤＰＥ（総厚み１２０μ）のラミネートフィルムを使用し、嵌合具がＬＬＤＰＥフィルム層側に融着されるようにショット数３５枚／分で製袋し、嵌合具付袋体を得た。
【００２９】
嵌合具の製袋適正を以下の評価基準にて評価した。
フランジ捲れ、嵌合外れ不良率
前記製袋条件にて、連続的に３００枚の嵌合具付袋体を作成し、嵌合具のフランジの捲れの有無、嵌合外れの有無を調べ不良率を求めた。
【００３０】
製袋適性
◎：基部層（内面）に融着が無く非常に仕上がりがよい。
○：基部層（内面）に融着が部分的に融着している。
×：基部層（内面）が融着し、袋が開封できない。
結果を表１に示す。
【００３１】
【表１】
2005008231.tif 000003
【００３２】
【発明の効果】
本発明の嵌合具及び嵌合具付包装用袋体は、セパレータを使用しない製袋条件においても良好な再開閉機能、嵌合強度等の嵌合具として基本条件を満たし、ラミネートフィルムの移動方向に関して横断方向へジッパーが配置される製袋機及び製袋充填シール（ＦＦＳ）機においても良好に製袋できる機械適正を有する。
【図面の簡単な説明】
【図１】本発明の嵌合具一例の概略図である。
【図２】従来の技術による嵌合具の一例である。
【図３】本発明の嵌合具付包装用袋体の正面図である。
【図４】本発明の嵌合具及び嵌合具付包装用袋体の嵌合具部の構造を示す、図１のＩＩ−ＩＩ線に沿った断面図である。
【図５】従来の嵌合具をシールする方法を示す概略図である。
【図６】セパレータを使用せず嵌合具をシールする方法を示す概略図である。
【図７】本発明の嵌合具が使用される一例を示す。
ラミネートフィルムの移動方向に関し横断方向へジッパーが配置される縦ピロージッパー付製袋充填機
【図８】本発明の嵌合具が使用される一例を示す。
ラミネートフィルムの移動方向に関し横断方向へジッパーが配置されるジッパー付製袋機
【図９】製袋機において、従来の嵌合具を使用し、折込補助プレートにてフランジが引っかかり製袋不良となる概略図を示す。
【図１０】製袋機において、本発明の嵌合具を使用し、折込補助プレートにてフランジが引っかかることなく製袋される概略図を示す。
【図１１】充填包装機において、従来の嵌合具を使用し、セーラーにてフランジが引っかかり製袋不良となる概略図を示す。
【図１２】充填包装機において、本発明の嵌合具を使用し、セーラーにてフランジが引っかかることなく製袋される概略図を示す。
【符号の説明】
１  本発明の嵌合具
１ａ  爪部
２  テープ部
２ａ  基部
２ｂ  シール部
２ｃ  凸状隆起部
３  従来の嵌合具
４  嵌合具付包装用袋体本体
４ａ  サイドガゼット部
５  嵌合具部
５ａ  雄嵌合具
５ｂ  雌嵌合具
６  基材フィルム（ＮＹ／ＬＬＤＰＥ）
７  ヒートシールバー
８  セパレータ（ガイドプレート）
９  フィルム折込補助プレート
１０  セーラー
１１  ホッパ
【図１】
2005008231.tif 000004
【図２】
2005008231.tif 000005
【図３】
2005008231.tif 000006
【図４】
2005008231.tif 000007
【図５】
2005008231.tif 000008
【図６】
2005008231.tif 000009
【図７】
2005008231.tif 000010
【図８】
2005008231.tif 000011
【図９】
2005008231.tif 000012
【図１０】
2005008231.tif 000013
【図１１】
2005008231.tif 000014
【図１２】
2005008231.tif 000015